(57)【要約】【課題】立体撮影のために、専用の撮影装置を筐体に追加することなく、低コスト、省スペースで、立体撮影機能を持たせる撮影機能付き携帯情報端末を提供するものである。【解決手段】正面及び背面に２つの撮像部６、９を有する折り畳み型携帯情報端末１において、筐体を閉鎖した際に、正面側撮像部６を塞いでしまわないように、筐体上部２に、正面側撮像部６の撮像方向に位置する部分に撮影用外光を通過させる切り欠き状の開口部８を形成することにより、同時に２つの撮像部６、９が使用可能となり、該撮像部６、９から取得した画像は、それぞれ左眼用、右眼用画像として関連付けて立体画像用に処理を行う。【選択図】図１
2007295391.tif 000002
【特許請求の範囲】
【請求項１】
本体の外殻を構成する第１の筐体と第２の筐体が相対回転可能に連結され、その相対回転によって第１の筐体の表示部と第２の筐体の入力部同士が離隔・近接して展開・閉鎖するものであって、第１の筐体および第２の筐体同士の展開状態で、第１の筐体の表示部と第２の筐体の入力部および正面側撮像手段がほぼ同一方向に向くように位置し、第１の筐体の前記表示部に対して背面側に背面側撮像手段が位置する開閉式の携帯情報端末において、
前記携帯情報端末が第１の筐体と第２の筐体同士の閉鎖状態時に、前記正面側撮像手段及び前記背面側撮像手段が、同時に同方向を撮像可能となるように、第１の筐体に開口部を形成し、
前記２つの撮像手段によって撮像した画像データを、立体画像再生の為にそれぞれ左眼用及び右眼用画像データとして関連付けて記録する制御処理手段を備えることを特徴とする携帯情報端末。
【請求項２】
前記携帯情報端末は、第１の筐体と第２の筐体の平面方向一端部同士がヒンジで連結され、それら第１の筐体および第２の筐体の一面同士が離隔・近接して展開・閉鎖するようにヒンジを中心に折り曲げ可能になっており、
第１の筐体には、上記閉鎖した状態時に、前記正面側撮像手段の撮像方向に位置する部分に撮影用外光を通過させる開口部を形成したことを特徴とする請求項１に記載の携帯情報端末。
【請求項３】
正面側撮像手段がヒンジに近接・離隔して設けられる場合に、背面側撮像手段はヒンジに離隔・近接して設けられることを特徴とする請求項１または２に記載の携帯情報端末。
【請求項４】
前記入力した画像データに、前記２つの撮像手段の画素数の差に応じて拡大又は縮小の補正処理を行い、左眼用及び右眼用画像データを同じサイズとすることを特徴とする請求項１から３のうちのいずれか１項に記載の携帯情報端末。
【発明の詳細な説明】
【技術分野】
【０００１】
本発明は、撮像手段を有する携帯電話等の撮影機能付き携帯情報端末の技術に関する。
【背景技術】
【０００２】
携帯情報端末、例えば携帯電話においては、撮影機能をもたせるものが一般的になってきており、各種の製品が競合するメーカから販売され、多くのユーザに利用されている。そのような各種の携帯電話の中で差別化を図ってユーザに一層アピールするために、より高機能な撮影機能を備えた撮影機能付き携帯電話が開発されている。例えば、立体画像の記録・再生を行う機能を有する携帯電話がある。
【０００３】
ここで、立体画像を表示する方法については、一般的に用いられているのが、両眼視差を利用する「２眼式」と呼ばれる表示方法である。
すなわち、この２眼式の立体画像表示方法は、両眼視差を持った左眼用の画像と右眼用の画像（以下、それぞれ「左眼用画像」、「右眼用画像」という）を用意し、それぞれ独立に左右の眼に投影することにより画像の立体視を行い得るようにしたものである。
【０００４】
２眼式の立体画像表示方法には、例えば、パララクスバリア方式がある。図８は、パララクスバリア方式を説明するための概念図である。図８（ａ）は、視差が生じる原理を示す図である。一方、図８（ｂ）は、パララクスバリア方式で表示される画面を示す図である。
図８（ｂ）に示すような左眼用画像と右眼用画像（「左」および「右」の文字で指示）が水平方向１画素おきに交互にならんだ形に配置された画像３０ａを、画像表示パネル３０に表示する。図８（ａ）に示すように、同一視点の画素の間隔よりも狭い間隔でスリット３２を持つパララクスバリア３１を画像表示パネル３０の前面に置くことにより、左眼用画像又は右眼用画像を、それぞれ左眼３３ｌ、右眼３３ｒのみで見ることになり、立体視を行うことができる。携帯電話の表示部において、パララクスバリアには、例えば、液晶シャッターが利用されており、立体視するときには、液晶シャッターにスリットが形成され、一方、通常の画像として平面視するときには、液晶シャッターが透明となるような制御が行われる。
【０００５】
すなわち、立体画像には、左眼用画像及び右眼用画像が必要であり、立体撮影を行うためには、左眼用及び右眼用に視差を有する２箇所から同時に映像を撮影することになり、同じ方向を向いた２つの撮像手段が必要となる。
【０００６】
立体画像処理可能な携帯電話等の携帯情報端末に関して、携帯電話の幅方向に撮像手段を２箇所設けたもの（例えば、特許文献１参照）、携帯電話の長手方向に撮像手段を２箇所設け、水平に保持して撮影するもの（例えば、特許文献２参照）、および側面部に２箇所の撮像手段を有するもの（例えば、特許文献３参照）が開示されている。
更に、折り畳み型のものであって、上側ユニットの長手方向に２箇所の撮像手段を有し、該ユニットを９０°回転することによって横長状態にし、左眼用及び右眼用画像を撮影するもの（例えば、特許文献４参照）が開示されている。
【特許文献１】特開２００５−１５１１６２号公報
【特許文献２】特開２００４−２４２０９２号公報
【特許文献３】特開２００５−１７６２８４号公報
【特許文献４】特開２００３−３１９０４３号公報
【発明の開示】
【発明が解決しようとする課題】
【０００７】
しかしながら、携帯電話に設ける同方向を向いた２つの撮像手段は、通常撮影においては必要がない。したがって、携帯電話に立体撮影機能を搭載するためには、立体撮影機能のためだけに、撮影素子を設ける必要がある。これでは撮影装置分のコストがかかり、また情報端末の小型化の障害ともなる。
【０００８】
また、従来の携帯電話は、撮影画像を確認するための表示面と同じ面である正面と、背面の２箇所に撮像手段を有するものがある。背面にある撮像手段は、通常のカメラと同様に撮影者が撮影画像を確認しながら、風景などの周りの被写体を撮影する目的のために用いられる。正面にある撮像手段は、ＴＶ電話などの目的のために、撮影者自身の撮影を行う目的で使用されることが多い。
【０００９】
しかし、このような正面及び背面に２つの撮像手段を有する折り畳み型携帯電話は、筐体を閉じた場合、正面の撮像手段が筐体に隠れて、撮影できないようになる。
また、携帯電話以外の携帯情報端末で折り畳み型のものでも、立体撮影機能を搭載するには、上記と同様の問題点が生じる。
【００１０】
本発明は、斯かる実情に鑑み、このような正面及び背面に２つの撮像手段を有する折り畳み型携帯情報端末において、筐体を閉じたときであっても、正面の撮像手段を隠す部分を空けることにより、同時に２つの撮像手段が利用でき、該撮像手段から取得した画像をそれぞれ左眼用、右眼用画像とする立体画像の撮影を可能とする撮影機能付き携帯情報端末を提供するものである。
【課題を解決するための手段】
【００１１】
斯かる実情に鑑み、第１の発明による携帯情報端末は、本体の外殻を構成する第１の筐体と第２の筐体が相対回転可能に連結され、その相対回転によって第１の筐体の表示部と第２の筐体の入力部同士が離隔・近接して展開・閉鎖するものであって、第１の筐体および第２の筐体同士の展開状態で、第１の筐体の表示部と第２の筐体の入力部および正面側撮像手段がほぼ同一方向に向くように位置し、第１の筐体の前記表示部に対して背面側に背面側撮像手段が位置する開閉式の携帯情報端末において、
前記携帯情報端末が第１の筐体と第２の筐体同士の閉鎖状態時に、前記正面側撮像手段及び前記背面側撮像手段が、同時に同方向を撮像可能となるように、第１の筐体に開口部を形成し、
前記２つの撮像手段によって撮像した画像データを、立体画像再生の為にそれぞれ左眼用及び右眼用画像データとして関連付けて記録する制御処理手段を備えることを特徴とする。
【００１２】
また、第２の発明による携帯情報端末は、第１の筐体と第２の筐体の平面方向一端部同士がヒンジで連結され、それら第１の筐体および第２の筐体の一面同士が離隔・近接して展開・閉鎖するようにヒンジを中心に折り曲げ可能になっており、
第１の筐体には、上記閉鎖した状態時に、前記正面側撮像手段の撮像方向に位置する部分に撮影用外光を通過させる開口部を形成したことを特徴とする。
【００１３】
また、第３の発明による携帯情報端末は、正面側撮像手段がヒンジに近接・離隔して設けられる場合に、背面側撮像手段はヒンジに離隔・近接して設けられることを特徴とする。
【００１４】
また、第４の発明による携帯情報端末は、前記入力した画像データに、前記２つの撮像手段の画素数の差に応じて拡大又は縮小の補正処理を行い、左眼用及び右眼用画像データを同じサイズとすることを特徴とする。
【発明の効果】
【００１５】
本発明の携帯情報端末によれば、正面及び背面に２つの撮像手段を有する折り畳み型携帯情報端末において、第１と第２の筐体同士の閉鎖状態時に、第１の筐体に、正面側撮像手段の撮像方向に位置する部分に撮影用外光を通過させる開口部を形成することにより、正面側撮像手段及び背面側撮像手段が、同時に同方向から撮像可能となり、該撮像手段から取得した画像を左眼用及び右眼用画像データとして関連付けて立体画像用に利用することにより、立体撮影のために、専用の撮影装置を筐体に追加することなく、低コスト、省スペースで、立体撮影機能を持たせることができる。
【００１６】
また、立体画像再生には、左眼及び右眼用画像の画素数を同じにしなければならないが、画像データの補正処理を行うので、２つの撮像手段を同じ画素数のものとする必要はなく、周辺を撮影する通常の撮影、ＴＶ電話用の撮影といった個々に別途使用する際の特性に合わせた画素数とすることができる。
【発明を実施するための最良の形態】
【００１７】
以下、本発明に係る携帯情報端末の実施の形態について、図面に基づき詳細に説明する。
【００１８】
〈第１の実施形態〉
図１は、本発明の第１の実施形態における携帯情報端末の展開時の内側の図、図２は、図１の携帯情報端末１の背面図である。図３は、本発明の第１の実施形態における携帯情報端末１の筐体を閉じて立体画像を撮影する状態を示す図である。
【００１９】
該携帯情報端末１は、本体の外殻を構成する概略矩形厚板状の２つの筐体（筐体上部「第１の筐体」に相当）２と、筐体下部（「第２の筐体」に相当）３の平面方向の一端部同士がヒンジ１０で連結され、それら筐体上部２および筐体下部３の一面同士が離隔・近接して展開・閉鎖するようにヒンジ１０を中心に折り曲げ可能になっている。
【００２０】
該筐体上部２には、その一面側に液晶ディスプレイ等からなる表示部４を備え、他面側に風景等を撮影する背面側撮像部９を備えている。
【００２１】
該筐体上部２の側面には、正面側撮像部６又は背面側撮像部９による撮影動作指示を入力する撮影用のシャッターボタン７を備えている。
【００２２】
また、該筐体下部３には、その一面側に押しボタンキー等からなる入力部５、及び操作者自身を撮影する撮像部（以下、「正面側撮像部」という。）６が設けられる。
【００２３】
したがって、携帯情報端末１は、筐体上部２および筐体下部３同士が離隔する展開状態で、筐体上部２の表示部４と筐体下部３の入力部５が同一方向に向うようにし、かつ、筐体上部２の表示部４と同面の筐体下部３の正面側に正面側撮像部６が位置し、筐体上部２の前記表示部４に対して背面側に背面側撮像部９が位置する開閉式になっている。
表示部４は、平面画像表示、又は、前記図８で説明したような、例えばパララクスバリア方式等による立体画像表示等が行われる。
【００２４】
正面側撮像部６は、ＴＶ電話などで自画像を撮影する場合等に使用され、操作者は表示部４を見ながら、自分自身を撮影することができる。
【００２５】
更に、筐体上部２と筐体下部３を最も近接させて筐体を閉鎖した際に、正面側撮像部６を塞いでしまわないように、該筐体上部２には、正面側撮像部６の撮像方向に位置する部分に撮影用外光を通過させる切り欠き状の開口部８を形成している。
【００２６】
図２に示すように、該携帯情報端末の筐体上部２の背面に、撮像部（以下、「背面側撮像部」という。）９を備える。撮影者は、表示部４を見ながら、撮影対象に背面側撮像部９を向けて、風景などの周りの被写体を撮影することができる。
【００２７】
立体画像を撮影する際は、操作者は図３に示すように筐体を閉じる（筐体上部２と筐体下部３を互いに近接する方向に動かして筐体を閉じる）と、開口部８から正面側撮像部６が使用可能となり、背面側撮像部９と同面の撮影が可能となる。
【００２８】
例えば、立体画像撮影時は、図３のように筐体を水平にして保持することにより、風景等を撮影する通常撮影用の背面側撮像部９で左眼用画像を、操作者撮影用の正面側撮像部６で右眼用画像を撮影する。
【００２９】
以上のように、折り畳み型情報端末において、筐体を閉じた状態で、正面側撮像部と背面側撮像部との同面での撮影を可能とすることにより、立体撮影のために、専用の撮影装置を筐体に追加することなく、低コスト、省スペースで、立体撮影機能を持たせることができる。
【００３０】
図４は、本発明に係る携帯情報端末の構成を示すブロック図である。
【００３１】
本発明に係る携帯情報端末は、正面側撮像部６、２１、背面側撮像部９、２３、入力データ処理部（Ａ）１１、（Ｂ）１２、シャッターボタン７、制御処理部１３、表示部４、入力部５、記録用メモリ１４から構成されている。
【００３２】
入力データ処理部（Ａ）１１、（Ｂ）１２は、正面側撮像部６、２１と背面側撮像部９、２３で撮影した画像の回転処理、又は拡大／縮小等の補正処理を行う。
制御処理部１３は、前記撮像部６、９、２１、２３によって撮像した画像データを、記録用メモリ１４に記録したり、入力部５の操作による使用者からの指示によって、記録用メモリ１４に記録した各データを処理し、表示部４に表示する等の制御を行う。
シャッターボタン７は、入力部５と別途に配置しているが、入力部５の一部ボタンを使用してもよい。
【００３３】
本実施例における携帯情報端末は、立体画像撮影モード選択時に、制御処理部１３が、シャッターボタン７の押下を検出すると、左眼用画像（又は右眼用画像）が入力される背面側撮像部９、２３と、右眼用画像（又は左眼用画像）が入力される正面側撮像部６、２１から、同時に画像データを取得する。
【００３４】
取得された左眼及び右眼用の画像データは、それぞれ入力データ処理部（Ａ）１１、（Ｂ）１２において、９０°回転処理を行う。
【００３５】
正面側撮像部及び背面側撮像部の画素数に差がある場合は、前記入力データ処理部（Ａ）１１、（Ｂ）１２において、拡大又は縮小の処理を行うことにより、同じサイズの画像データに補正される。
立体画像再生には、左眼及び右眼用画像の画素数を同じにしなければならないが、上記のように補正処理を行うので、２つの撮像部を同じ画素数のものとする必要はなく、周辺を撮影する通常の撮影、ＴＶ電話用の撮影といった個々に別途使用する際の特性に合わせた画素数とすることができる。
【００３６】
前記左眼及び右眼用の画像データは、制御処理部１３を介し、左眼及び右眼用画像として関連付けた状態で、立体画像データとして記録用メモリ１４に保存する。
【００３７】
また、静止画の代わりに、立体画像を動画として取り込んでもよい。
動画として取り込む場合は、例えば、シャッターボタン７の押下の検出をすると、２つの撮像部６、９（後述の第２の実施形態においては２１、２３）から入力されたデータをそれぞれ連続して取り込み、左眼及び右眼用のデータとして関連付けるとともに、それぞれのデータの取得タイミングも関連付けて、更に圧縮を行い、記録用メモリ１４に保存する。
【００３８】
〈第２の実施形態〉
また、図５は、図１とは別の本発明の第２の実施形態における携帯情報端末２０の展開時の内側の図、図６は、その携帯情報端末２０の背面図である。図７は、その携帯情報端末２０の筐体を閉じた時の図である。
【００３９】
第２の実施形態では、図５に示すように、第１の実施形態と異なる点は、上部筐体２の正面側撮像部２１はヒンジ１０から表示部４より離れた位置に設けられ、それに対応する開口部２２は、筐体下部３の入力部５よりもヒンジ１０から離れた端部に切り欠き状態に形成した点である。
【００４０】
また、図６に示すように、第１の実施形態と異なる点は、通常撮影用の背面側撮像部２３が、筐体下部３のヒンジ１０に近接した位置に設けられている点である。その他については、第１の実施形態と同様であるので、同一物には同一符号を付した。
【００４１】
また、図７に示すように、該筐体を閉じたときは、第１の実施形態と同様に、開口部２２から正面側撮像部２１が使用可能となり、背面側撮像部２３と同面の撮影が可能となる。
【００４２】
例えば、立体画像撮影時は、図７のように筐体を水平にして保持することにより、背面側撮像部２３で左眼用画像を、正面側撮像部２１で右眼用画像を撮影する。
【００４３】
尚、図１〜図７は発明を実施する形態の一例であって、本発明の携帯情報端末は、上記した実施の形態に限定されるものではなく、本発明の要旨を逸脱しない範囲内において種々変更を加え得ることは勿論である。
【図面の簡単な説明】
【００４４】
【図１】本発明の第１の実施形態における携帯情報端末の展開時の内側の図の一例である。
【図２】図１の携帯情報端末の展開時の背面図の一例である。
【図３】図１の携帯情報端末の筐体を閉じた図の一例である。
【図４】本発明の実施形態における携帯情報端末の構成を示すブロック図の一例である。
【図５】本発明の第２の実施形態における携帯情報端末の展開時の内側の図の一例である。
【図６】図５の携帯情報端末の展開時の背面図の一例である。
【図７】図５の携帯情報端末の筐体を閉じた図の一例である。
【図８】パララクスバリア方式を説明するための概念図であって、（ａ）は視差が生じる原理説明図、（ｂ）はパララクスバリア方式での表示画面の説明図である。
【符号の説明】
【００４５】
１、２０  携帯情報端末
２  筐体上部
３  筐体下部
４  表示部
５  入力部
６、２１  正面側撮像部
７  シャッターボタン
８、２２  開口部
９、２３  背面側撮像部
１０  ヒンジ
１１、１２  入力データ処理部
１３  制御処理部
１４  記録用メモリ
３０  画像表示パネル
３１  パララクスバリア
３２  スリット
３３ｌ  左眼
３３ｒ  右眼
【図１】
2007295391.tif 000003
【図２】
2007295391.tif 000004
【図３】
2007295391.tif 000005
【図４】
2007295391.tif 000006
【図５】
2007295391.tif 000007
【図６】
2007295391.tif 000008
【図７】
2007295391.tif 000009
【図８】
2007295391.tif 000010